【手続補正書】
【提出日】平成16年7月15日(2004.7.15)
【手続補正１】
【補正対象書類名】明細書
【補正対象項目名】発明の名称
【補正方法】変更
【補正の内容】
【発明の名称】字幕抽出装置及びシステム
【手続補正２】
【補正対象書類名】明細書
【補正対象項目名】特許請求の範囲
【補正方法】変更
【補正の内容】
【特許請求の範囲】
【請求項１】
映像信号から字幕情報を抽出する字幕抽出装置において、
現に放送または再生されている映像信号から字幕スーパーを抽出する字幕抽出手段と、
抽出した字幕スーパーに含まれる文字列をリアルタイムに認識し、認識した文字列に対応する文字コードの列を含む文字情報を出力する文字認識手段と、
前記文字情報に基づき前記文字列を表示する表示手段と、を具備する
ことを特徴とする字幕抽出装置。
【請求項２】
前記各手段を全て１つの筐体に内蔵する
ことを特徴とする請求項１に記載の字幕抽出装置。
【請求項３】
周辺機器および／または外部の通信環境と接続可能とする入出力手段をさらに備える
ことを特徴とする請求項１に記載の字幕抽出装置。
【請求項４】
前記認識した文字に対し、拡大、変形、彩色等の加工を施すための付加情報を前記文字情報に付加する文字加工手段をさらに備える
ことを特徴とする請求項１に記載の字幕抽出装置。
【請求項５】
前記映像信号による映像を表示するテレビ受像機等の表示装置とは別体である
ことを特徴とする請求項４に記載の字幕抽出装置。
【請求項６】
前記文字認識手段にて認識された文字コードを音声合成し、合成した音声の信号を出力する音声合成手段をさらに備える
ことを特徴とする請求項１に記載の字幕抽出装置。
【請求項７】
字幕スーパーの色情報を取得する色情報抽出手段をさらに備え、
前記音声合成手段は、
前記色情報抽出手段にて取得された字幕スーパーの色情報に基づくか、または、前記文字認識手段にて認識された、予め定められ字幕スーパーに挿入された文字・記号に基づいて、男女，大人，子ども，老人などの違いが分かるように音声合成する
ことを特徴とする請求項６に記載の字幕抽出装置。
【請求項８】
前記音声合成手段は、
字幕スーパーが表示される際に出力される音声の特徴に類似する特徴をもたせた音声合成を行う
ことを特徴とする請求項６に記載の字幕抽出装置。
【請求項９】
点字出力手段に前記文字情報を与え点字出力させる
ことを特徴とする請求項３に記載の字幕抽出装置。
【請求項１０】
前記点字出力手段は、点字キーボードである
ことを特徴とする請求項９に記載の字幕抽出装置。
【請求項１１】
前記点字出力手段は、点字プリンタである
ことを特徴とする請求項９に記載の字幕抽出装置。
【請求項１２】
前記文字情報から指定されたキーワードを検出することにより、該キーワードが出現するシーンを自動判定する判定手段をさらに備える
ことを特徴とする請求項３に記載の字幕抽出装置。
【請求項１３】
前記判定手段にて前記キーワードが検出されたシーンの出現時刻を記録手段に記録させる制御手段を備える
ことを特徴とする請求項１２に記載の字幕抽出装置。
【請求項１４】
前記判定手段にて前記キーワードが検出されたシーンを録画手段に録画させる制御手段を備える
ことを特徴とする請求項１２に記載の字幕抽出装置。
【請求項１５】
予め定められた文字列の検出に応じて、文字情報を出力するための手段を制御する制御手段を備える
ことを特徴とする請求項３に記載の字幕抽出装置。
【請求項１６】
前記予め定められた文字列は、番組開始文字列および番組終了文字列であって、前記制御手段は、該文字列に従って録画手段に番組録画予約または番組録画の命令を与える
ことを特徴とする請求項１５に記載の字幕抽出装置。
【請求項１７】
前記予め定められた文字列は、住所または郵便番号であって、前記制御手段は、該住所または郵便番号を印刷手段に印刷させる
ことを特徴とする請求項１５に記載の字幕抽出装置。
【請求項１８】
前記予め定められた文字列は郵便番号であって、前記判定手段にて郵便番号が検出されると、前記制御手段は、該郵便番号に対応する住所を、郵便番号に対応づけられた住所のデータベースから検索して取得し、取得した住所を印刷手段に印刷させる
ことを特徴とする請求項１７に記載の字幕抽出装置。
【請求項１９】
インターネット接続可能であるとともに、前記予め定められた文字列はＵＲＬ（Ｕｎｉｆｏｒｍ Ｒｅｓｏｕｒｃｅ Ｌｏｃａｔｏｒ）であって、前記判定手段にてＵＲＬが検出されると、前記制御手段は、該ＵＲＬに対応するホームページにアクセスして、該ホームページの内容を前記表示手段に表示させる
ことを特徴とする請求項１５に記載の字幕抽出装置。
【請求項２０】
電話接続可能であるとともに、前記予め定められた文字列は電話番号であって、前記判定手段にて電話番号が検出されると、前記制御手段は、該電話番号の電話機を呼び出させる
ことを特徴とする請求項１５に記載の字幕抽出装置。
【請求項２１】
テレビ放送信号をアンテナを介して受信するテレビ受像機と字幕抽出装置とで構成されたシステムであって、
前記字幕抽出装置は、
前記テレビ放送信号の映像信号から字幕スーパーを抽出する字幕抽出手段と、
抽出した字幕スーパーに含まれる文字列を認識し、認識した文字列に対応する文字コードの列を含む文字情報を出力する文字認識手段と、
前記文字情報に基づき前記文字列を表示する表示手段と、を具備する
ことを特徴とするシステム。
【請求項２２】
ビデオ再生機と字幕抽出装置とで構成されたシステムであって、
前記字幕抽出装置は、
前記ビデオ再生機からのビデオ再生信号の映像信号から字幕スーパーを抽出する字幕抽出手段と、
抽出した字幕スーパーに含まれる文字列を認識し、認識した文字列に対応する文字コードの列を含む文字情報を出力する文字認識手段と、
前記文字情報に基づき前記文字列を表示する表示手段と、を具備する
ことを特徴とするシステム。
【手続補正３】
【補正対象書類名】明細書
【補正対象項目名】００４９
【補正方法】変更
【補正の内容】
【００４９】
符号１ｅは、周辺機器や外部の通信環境への接続をするための入出力部である。この入出力部１ｅは、周辺機器と接続するための入出力インターフェースとしての機能をもち、接続する周辺機器に応じて要求される規格を満足するものとする。また、電話網１５へ接続するための電話機の機能を備えている。また、インターネット１４に接続するためのＴＣＰ／ＩＰ規格に準拠する通信機能を備えている。また、入出力部１ｅは、字幕抽出装置１に内蔵される表示部１ｆへの表示制御も行うものとする。ここで周辺機器とは、点字キーボード１０、点字プリンタ１１、ビデオレコーダ１２、プリンタ１３等であり、通信環境（通信網）とは、インターネット１４や電話網１５である。なお、表示部１ｆは、液晶表示装置等の表示装置であり、さらにタッチパネル等の入力手段を備え、後述のキーワード等の入力設定を可能としている。
【手続補正４】
【補正対象書類名】明細書
【補正対象項目名】００５６
【補正方法】変更
【補正の内容】
【００５６】
符号１ｎは、制御部であり、キーワード判定部１ｌにて所定のキーワードが検出され、キーワード判定部１ｌからキーワード等（住所、郵便番号、ＵＲＬ、電話番号の別を含む）の通知を受けると、このキーワードをもとにキーワードＤＢ・１ｍを参照し、下記のように対応する制御処理を実行する。
具体的には、制御部１ｎは、キーワードが検出されたシーンの出現時刻（開始時刻）を記録部１ｏに記録させる。また、キーワード判定部１ｌにて予め登録されたキーワードが検出されると、このキーワードが検出されたシーンを始まりとして所定の時間、ビデオレコーダ１２にその映像と音声を録画させる。または、キーワードが検出されたシーンから、検出したキーワードと異なる文字列が認識された時点までを録画せさる。このビデオ録画の一例を図４に示している。この例のキーワードは「ＴＡＲＯ」（タロー）であり、字幕スーパーに「ＴＡＲＯ」が表示されるとこれを検出し、この検出時（ＴＡＲＯの登場時）から所定の時間、この登場以降のシーンを録画させている。